(57)【要約】      （修正有）【課題】容器に巻き付けて止める帯状の非貼着ラベルが抜け落ちたり、横ずれしたりするのを防止する食品包装用容器の提供。【解決手段】合成樹脂製シート素材を膨出成形させた容器本体１と蓋体２とからなり、且つ閉蓋状態において帯状の非貼着ラベルを巻きつけて使用する食品包装用容器であって、容器本体１または蓋体２のいずれか一方または両方において、ラベル巻きつけ面２１の両側縁にラベル巻き付け面２１より隆起形成された部分を有することを特徴とする食品包装用容器食品包装用容器としたこと。【選択図】図１
2005132410.tif 000002
【特許請求の範囲】
【請求項１】
合成樹脂製シート素材を膨出成形させた容器本体と蓋体とからなり、且つ閉蓋状態において帯状の非貼着ラベルを巻きつけて使用する食品包装用容器であって、容器本体または蓋体のいずれか一方または両方において、ラベル巻きつけ面の両側縁にラベル巻き付け面より隆起形成された部分を有することを特徴とする食品包装用容器。
【発明の詳細な説明】
【技術分野】
【０００１】
本発明は、合成樹脂製シート素材を膨出成形させた容器本体と蓋体からなる食品包装用容器、より詳しくは、食品を収容した後閉蓋し帯状の非貼着ラベルを巻きつけて重なり部を止めて使用する食品包装用容器に関するものである。
【背景技術】
【０００２】
合成樹脂製シート素材を膨出成形させた容器本体と蓋体からなる食品包装用容器は周知であり、これに添付されるラベルは、容器に貼り付けるもの、容器内に封入するもの、容器に巻きつけるもの等様々である。これらのうち本発明では、食品を収容した後閉蓋し帯状の非貼着ラベルを巻きつけて使用する食品包装用容器を対象とする。この種の容器は従来から鶏卵、野菜、果物、菓子等の様々な種類の容器に用いられてきている。
【０００３】
ところで、帯状の非貼着ラベルに限られたことではないが、食品包装用容器に添付されるラベルの本質的な役割としては、そこに製品名、原材料名、保存方法、内容量、賞味期限、販売者、値段、バーコード表示等の製品情報を記載表示し、購買者に製品情報を提供することにある。
【０００４】
他方、帯状の非貼着ラベルの独特な役割としては、例えば、閉蓋状態において容器本体と蓋体の嵌合力がないあるいは弱い食品包装用容器においては、食品を収容した後に容器本体と蓋体に帯状の非貼着ラベルを巻きつけて止めることにより、閉蓋状態の維持を補助することにある。また、複数個をセットで販売する食品包装用容器においては、複数個の容器を束ねてそれらに帯状の非貼着ラベルを巻きつけて重なり部を止めることにより、バラバラになることなく複数個をまとめて販売することにある。
【０００５】
複数個をセットで販売する食品包装用容器の代表的な具体例として、納豆の包装用容器がある。機械の自動作業により、納豆を容器に収容して閉蓋後、一般的には該容器を３段積み重ねてあらかじめ製品情報を表示した帯状の非貼着ラベルを巻きつけて重なり部を止めて販売することが周知である。この際、帯状のラベルは、購買者に製品情報を提供するとともに、３つの納豆の包装用容器を束ねる役割を果たしている。
【特許文献１】特開２００２−２８４２１５
【特許文献２】特開２００２−１６６９９０
【特許文献３】特開２０００−００６９４１
【発明の開示】
【発明が解決しようとする課題】
【０００６】
このように単体の容器に帯状の非貼着ラベルを巻きつける場合においても、複数個の容器を束ねてそれらに帯状の非貼着ラベルを巻きつける場合においても、帯状の非貼着ラベルは様々な役割を果たすものである。
【０００７】
しかしながら、他方では、ラベルが容器に対して非貼着であるため、流通・販売過程において、容器に巻きつけて止めた帯状の非貼着ラベルが横ずれしたり、帯状の非貼着ラベルが容器から抜け落ちたりしてしまうという問題点があった。
【０００８】
そこで、本発明は、容器に巻き付けて止めた帯状の非貼着ラベルが抜け落ちたり、横ずれしたりするのを防止する食品包装用容器を提供するものである。
【課題を解決するための手段】
【０００９】
この課題を解決するために講じた本発明にいう食品包装用容器の構成を説明すると、本発明の食品包装用容器は、合成樹脂製シート素材を膨出成形させた容器本体と蓋体とからなり、且つ閉蓋状態において帯状の非貼着ラベルを巻きつけて使用する食品包装用容器であって、容器本体または蓋体のいずれか一方または両方において、ラベル巻きつけ面の両側縁にラベル巻き付け面より隆起形成された部分を有することを特徴とする食品包装用容器にかかるものである。
【発明の効果】
【００１０】
本発明の食品包装用容器によれば、容器に巻き付けて使用する帯状の非貼着ラベルが抜け落ちすることが防止されることにより、閉蓋状態において容器本体と蓋体の嵌合力がないあるいは弱い食品包装用容器であっても開蓋せず、複数個をセットで販売する食品包装用容器であってもバラバラにならないので、安定的に状態維持を図ることができる。
【００１１】
また、容器に巻き付けて使用する帯状の非貼着ラベルが抜け落ちすることが防止されることにより、ラベルの本質的な役割である製品情報の提供を商品の購買者に対し確実に行うことができる。
【００１２】
さらに、容器に巻き付けて使用する帯状の非貼着ラベルが横ずれすることも防止されることにより、容器とラベルが一体となって構成される美感を維持し、商品価値を高めることができる。
【発明を実施するための最良の形態】
【００１３】
本発明の食品包装用容器を実施するにあたって、ラベル巻きつけ面の側縁の隆起形成された部分の構成として、ラベル巻きつけ面を周辺の面よりも低く形成してもよいし、ラベル巻きつけ面の側縁に突出部を形成してもよい。突出部の例として、突条部を形成したり何箇所かの突起部を形成すること等が考えられる。これらの具体的な形状、構造は任意であり、容器の形状、巻き付ける帯状の非貼着ラベルの幅を考慮して、前述の効果を有する範囲内において、最適な形状、構造とすればよい。
【実施例】
【００１４】
以下、本発明の実施例を図示例と共に説明する。図１および図２は本願発明の第１実施例のゆで卵の包装用容器であって、図１は斜視図、図２は使用状態を示す正面図を示す。
【００１５】
該第１実施例のゆで卵の包装用容器は、味付きゆで卵を収容する包装用容器であって、帯状の非貼着ラベルを巻きつけ止めして使用する包装用容器である。図１に示したように、容器本体１と蓋体２を折り曲げ部３を介して一体的に成形してある。なお、該ゆで卵の包装用容器は、合成樹脂製シート素材のうち、廃材リサイクルが可能で、焼却処理の際の発熱量が少なく、有害物質を発生させることがないという点でポリエチレンテレフタレート樹脂シートを用い、周知の膨出成形手段を用いて成形したものである。
【００１６】
容器本体１は、ゆで卵が１個収容できる大きさで形成され、側面部は補強のためにリブ１３を形成している。また、図示はしていないが、底面部の一部を底上げしたうえで滑らかな凹面状に形成し、収容したゆで卵を面接触させて局部に負荷がかからないようにしている。他方、蓋体２は曲面状に形成され、巻き付けるラベルの幅に合わせてラベル巻き付け面２１が形成され、該ラベル巻き付け面２１の両側縁部に沿って突条部２２を形成している。閉蓋状態において容器本体１と蓋体２の係合部５は簡素に形成され、弱い嵌合力となっているが、これは、閉蓋後に容器にラベルを巻きつけて使用することにより閉蓋状態の維持ができるので、容器本体１と蓋体２の強い嵌合力を必要としないことによるものである。
【００１７】
使用にあたっては、容器本体１にゆで卵を収容して閉蓋し、図２に示したように、あらかじめ製品情報を印刷した帯状の非貼着ラベル４を巻き付けて重なり部を止める。巻き付けられたラベル４は突条部２２により、巻き付け方向と直行する方向（図２における左右方向）への移動が阻止され、抜け落ちすることも、横ずれすることも防止される。
【００１８】
図３は、本願発明第２実施例のゆで卵の包装用容器の斜視図であり、容器の構成は第１実施例とほぼ同様であるが、容器本体１の底面部にラベル巻き付け面１１が周辺の面よりも低く形成（言い換えるとラベル巻き付け面１１の周辺に突出面１２が形成）されている。
【００１９】
使用にあたっては、第１実施例と同様であるが、図４に示したように、巻き付けられたラベル４は容器本体１に形成された突出面１２と蓋体２に形勢された突条部２２により、巻き付け方向と直行する方向（図４における左右方向）への移動が阻止され、抜け落ちすることも、横ずれすることも防止される。
【００２０】
以上本発明の代表例と思われる実施例について説明したが、本発明の食品包装用容器は、上述の実施例にのみ限定されるものではなく、例えば、容器の種類は鶏卵に限らず、野菜、果物、菓子等を収容する容器であってもよく、その他本発明にいう前記の構成要件を備え、かつ本発明にいう目的を達成し、本発明にいう効果を有する範囲内において適宜改変して実施することができるものである。
【産業上の利用可能性】
【００２１】
本発明の食品包装用容器は、容器に対して非貼着でありながら、帯状ラベルが抜け落ちたり、横ずれしたりするのを防止できるという点において優れた発明であり、実施例で示したゆで卵の容器は今後販売予定である。
【図面の簡単な説明】
【００２２】
【図１】第１実施例の斜視図。
【図２】第１実施例の使用状態を示す正面図。
【図３】第２実施例の斜視図。
【図４】第２実施例の使用状態を示す正面図。
【符号の説明】
【００２３】
１  容器本体
１１  ラベル巻きつけ面
１２  突出面
１３  リブ
２  蓋体
２１  ラベル巻きつけ面
２２  突条部
３  折り曲げ部
４  ラベル
５  係合部
【図１】
2005132410.tif 000003
【図２】
2005132410.tif 000004
【図３】
2005132410.tif 000005
【図４】
2005132410.tif 000006